(57)【要約】【課題】ゲノム解析への投資の多様化、効率化、低リスク化を可能とする投資システムを提供する。【解決手段】投資家が、ゲノム解析開発会社が提示する１以上のゲノム解析プロジェクトから特定のゲノム解析プロジェクトを選択し、ゲノム解析プロジェクトごとに発行される証券を、ゲノム解析取引市場で売買する。ゲノム解析開発会社は、発行証券で得た資金で、ゲノム解析プロジェクトの遂行をゲノム解析企業に発注する。このようなゲノム解析プロジェクトへの投資システムにより、上記課題を解決する。【選択図】　なし【特許請求の範囲】
【請求項１】
ゲノム解析開発会社が提示する１以上のゲノム解析プロジェクトへの投資システムであって、
ゲノム解析開発会社は、特定のゲノム解析プロジェクトごとに、１以上の投資家にゲノム解析プロジェクトに関する情報を提示し、
ゲノム解析開発会社は、特定のゲノム解析プロジェクトごとへの、投資家の投資額に応じて証券を発行し、
当該証券は、ゲノム解析開発会社が開設するゲノム解析取引市場で売買され、ゲノム解析開発会社は、発行証券で得た資金で、ゲノム解析プロジェクトの遂行をゲノム解析企業に発注する、
ことを特徴とするゲノム解析プロジェクトへの投資システム。
【請求項２】
ゲノム解析開発会社が提示する１以上のゲノム解析プロジェクトへの投資システムであって、
ゲノム解析開発会社は、特定のゲノム解析プロジェクトごとに、１以上の投資家にゲノム解析プロジェクトに関する情報を提示し、
ゲノム解析開発会社は、特定のゲノム解析プロジェクトごとへの、投資家の投資額に応じて証券を発行し、
当該証券は、ゲノム解析開発会社が開設するゲノム解析取引市場で売買され、ゲノム解析開発会社は、発行証券で得た資金で、ゲノム解析プロジェクトの遂行をゲノム解析企業に発注し、
ゲノム解析企業は、ゲノム解析プロジェクトを遂行し、得られる成果をゲノム解析開発会社に供与し、
ゲノム解析開発会社は、成果をそのまま、あるいは財産化して投資家に還元する、
ことを特徴とするゲノム解析プロジェクトへの投資システム。
【請求項３】
情報通信システムを介して、投資家がゲノム解析プロジェクト証券を購入し、又は売買することを特徴とする請求項１又は２に記載の投資システム。
【請求項４】
情報通信システムが、コンピュータシステムであることを特徴とする請求項３記載の投資システム。
【請求項５】
コンピュータシステムが、インターネットであることを特徴とする請求項４記載の投資システム。
【請求項６】
ゲノム解析プロジェクトが、生物種別のゲノム解析プロジェクトである請求項１〜５のいずれか１項に記載の投資システム。
【発明の詳細な説明】
【０００１】
【発明の属する技術分野】
本発明は、ゲノム解析プロジェクトへの投資システムに関する。
【０００２】
【従来の技術】
遺伝子工学の発達により、遺伝情報解析及び遺伝子情報管理システムの技術発展が近年急速に進展している。蓄積した遺伝情報は、例えば医薬品の開発を大きく変化させようとしている。また、疾病に関連する遺伝子も次々と見つかっており、治療に有望な遺伝子、その産物を同定し、医薬品開発の標的を効率よく見つけだす試みが進んでいる。遺伝情報から見いだした標的と、新たな医薬技術として急速に広がっている抗体、アンチセンス核酸、受容体技術、遺伝子治療等を組み合わせれば、既存の医薬品では成し得なかった画期的な製品につながることが期待できる。また、疾病を遺伝子レベルから分類し、それにあった治療薬を投与することも可能になる。
【０００３】
遺伝子の情報、例えばゲノム解析に必要な費用はかなりの巨額なものであり、いかに資金の豊富な製薬会社、化学会社であってもそれは大変なものである。製薬会社では、ゲノム解析情報を得ることにたとえ巨額な費用がかかっても、効率的な新薬の研究開発を行うことにより、画期的な新薬として市場に出れば、ゲノム解析情報を得るのに要した費用は十分に回収できるものと考えている。１０年後、２０年後といった長期的な視野に立っての先行投資である。
【０００４】
遺伝情報解析は、主に研究会社で行われているが、ゲノム解析企業として先行している一部の企業は、ヒトなどのゲノムを自ら解読して遺伝子特許を押さえ、そのゲノム解析情報を、閲覧を希望する複数の製薬会社等にデータとして提供し、データ閲覧費用として大きな利益を得ている。ヒトゲノム解析情報のデータ閲覧には、数億円もの費用を支払っているのが現状である。しかしながら、解析されたゲノムに含まれる遺伝子特許の所有権はあくまでもゲノム解析情報を提供するゲノム解析企業に属する。ゲノム解析情報を利用するために巨額の費用がかかるこのような状況では、資本力の豊かな大企業しか投資家としてゲノム解析情報に投資できないことになり、また、投資する側も多額の投資となるために、ハイリスクであり、結果として投資する対象範囲も限定されることになるという問題点を有している。
【０００５】
一方、２１世紀は、バイオの時代であり、遺伝子の時代であり、また、遺伝子は人類共通の財産でもある。ゲノム解析情報を得るのに、リスクを少なくし、製薬会社、化学会社だけに限られることなく、種々の投資家にその機会が持たれるような方法が求められている。
【０００６】
【発明が解決しようとする課題】
本発明の目的は、上記問題点を鑑み、ゲノム解析への投資の多様化、効率化、低リスク化を可能とする投資システムを提供することにある。複数の企業又は個人が共同で、ゲノム解析を依頼することにより、費用を節約できるだけでなく、従来よりもリスクを少なくし、なおかつ他の投資よりもハイリターンとすることができる。このことにより、投資家が製薬企業、化学会社だけに限られることなく、種々の投資家が、特定のプロジェクトを選択する幅が広がり、利益を享受することが可能になる。すなわち、いろいろな生物種のゲノム解析を容易に依頼することが可能になり、ゲノム研究の水準の底上げに寄与することができる。
【０００７】
【課題を解決するための手段】
本発明を概説すると、本発明の第１の発明は、ゲノム解析開発会社が提示する１以上のゲノム解析プロジェクトへの投資システムであって、
ゲノム解析開発会社は、特定のゲノム解析プロジェクトごとに、１以上の投資家にゲノム解析プロジェクトに関する情報を提示し、
ゲノム解析開発会社は、特定のゲノム解析プロジェクトごとへの、投資家の投資額に応じて証券を発行し、
当該証券は、ゲノム解析開発会社が開設するゲノム解析取引市場で売買され、ゲノム解析開発会社は、発行証券で得た資金で、ゲノム解析プロジェクトの遂行をゲノム解析企業に発注する、
ことを特徴とするゲノム解析プロジェクトへの投資システムに関する。
【０００８】
本発明の第２の発明は、ゲノム解析開発会社が提示する１以上のゲノム解析プロジェクトへの投資システムであって、
ゲノム解析開発会社は、特定のゲノム解析プロジェクトごとに、１以上の投資家にゲノム解析プロジェクトに関する情報を提示し、
ゲノム解析開発会社は、特定のゲノム解析プロジェクトごとへの、投資家の投資額に応じて証券を発行し、当該証券はゲノム解析開発会社が開設するゲノム解析取引市場で売買され、
ゲノム解析開発会社は、発行証券で得た資金で、ゲノム解析プロジェクトの遂行をゲノム解析企業に発注し、
ゲノム解析企業は、ゲノム解析プロジェクトを遂行し、得られる成果をゲノム解析開発会社に供与し、
ゲノム解析開発会社は、成果をそのまま、あるいは財産化して投資家に還元する、
ことを特徴とするゲノム解析プロジェクトへの投資システムに関する。
本発明の第１の発明の投資システム、第２の発明の投資システムのそれぞれの態様としては、情報通信システムを介して、投資家が証券を購入し、又は売買する投資システムが挙げられる。当該情報通信システムとしては、コンピュータシステムがあり、コンピュータシステムとしてはインターネットが例示される。また、ゲノム解析プロジェクトとしては、生物種別のゲノム解析プロジェクトが挙げられる。
【０００９】
本発明において、ゲノム解析開発会社は、コンピュータシステム、特にインターネットを介するゲノム解析取引市場を開設する。当該市場でゲノム解析証券は自由に売買することができる。本発明により、投資家はゲノム解析開発会社が提示する１以上のゲノム解析プロジェクトから特定のプロジェクトを選択し、当該プロジェクトの商業的価値に投資し、投資したゲノム解析プロジェクトの商業的成功により、投資家の投資分に応じて利益が還元される。また、投資により購入した証券をゲノム解析開発会社が開設するゲノム解析取引市場で売買することにより利益を得ることができる。
【００１０】
本発明の投資システムは、下記の要件を備えるものである。
【００１１】
ゲノム解析開発会社は、ゲノム解析プロジェクトをどのように進め、成果はどのようなものが期待できるか、また、必要な経費はどの程度であるかについて企画し、あるいは１以上のゲノム解析企業に企画させ、ゲノム解析開発会社は１以上の投資家に対し、１以上のゲノム解析プロジェクトの提示を行い、投資家が投資判断を行う材料を提供する。情報開示は、例えばゲノムプロジェクトごとの目論見書または受益証券説明書にて行う。
【００１２】
ゲノム解析企業は、ゲノム解析開発会社より、投資家の投資するゲノム解析プロジェクトのゲノム解析の発注をうける。
【００１３】
ゲノム解析企業は、最大の成果を上げるための最大限の努力を行い、発注されたゲノム解析を遂行する。
【００１４】
投資家がゲノム解析プロジェクトのゲノム解析成果を利用しえない場合、ゲノム解析開発会社は、例えば製薬会社、化学会社等の川下企業との提携、ライセンスにより、ゲノム解析プロジェクトのゲノム解析成果を現金化し、投資家へのリターンを行う。また、ゲノム解析プロジェクトのゲノム解析成果の無体財産化を行い、無体財産として投資家に供与してもよい。投資家がゲノム解析プロジェクトのゲノム解析成果を利用できる場合には、当該ゲノム解析成果を直接投資家に供与してもよい。
【００１５】
上記のような構成により、投資家が、ゲノム解析開発会社から提示される１以上のゲノム解析プロジェクトから特定のプロジェクトを選択し、ゲノム解析開発会社を介してゲノム解析プロジェクトの商業的価値に先行投資することにより、その持ち分に応じて、利益が分配される。これまで資金的に限界があったゲノム解析企業のゲノム解析プロジェクトの遂行が可能になるので、ゲノム解析企業のリスクも少なく、いろいろな生物種のゲノム解析を同時に進行させることができるようになり、ゲノム解析企業には安全で効率のよい資金確保が可能になる。
また、個人投資家もゲノム解析プロジェクトの商業的成功による収益を得ることが可能となる。さらに、本発明によりゲノム解析開発会社が開設するゲノム解析取引市場が提供され、投資家はゲノム解析プロジェクト証券を売買することにより、利益を得ることが可能になる。
【００１６】
【発明の実施の形態】
以下、本発明について具体的に説明する。
本発明におけるゲノム解析企業とは、ゲノム解析を通じて収入を得る企業であれば限定はない。ゲノム解析企業においては、ゲノム解析プロジェクトについての特許・技術情報調査により、情報の収集、選択、解析を行い、ゲノム解析プロジェクトの研究成果の予測、商業的価値の判断を含めたゲノム解析プロジェクトの収益性の指針を、例えば目論見書としてゲノム解析開発会社に開示し、ゲノム解析開発会社はゲノム解析プロジェクトごとに１以上の投資家を募集する。ゲノム解析開発会社が提示するゲノム解析プロジェクトごとの開発指針にアクセスする権利を獲得した投資家は、選択した特定のゲノム解析プロジェクトに投資することにより、投資費用を節約できるのみならず、リスクも低減することができる。また、投資家は、複数のゲノム解析プロジェクトへの投資も可能である。
【００１７】
本発明における投資家とは、ゲノム解析開発会社が提示するゲノム解析プロジェクトに投資しようとする企業、個人であればよく、特に限定されるものではない。製薬会社、化学会社だけに限定されず、一般の投資家による投資が可能となる。すなわち、本発明において、従来、投資家が大企業に限定されていたことが初めて解消される。投資家は、ゲノム解析プロジェクトの研究成果、商業的価値に先行投資することにより、ゲノム解析プロジェクトの研究成果による収益により利益を得ることとなる。持ち分を決定するために、投資家によるオークションを行うこともできる。投資家によるオークションにより、ゲノム解析プロジェクトへの投資額が決定され、社会の要請に応じたゲノム解析の研究開発規模が決定されることになる。
【００１８】
ゲノム解析企業のゲノム解析プロジェクトとは、ゲノム解析成果より収益を得られるものであればよく、特に限定はないが、例えば生物種別のゲノム解析プロジェクトが挙げられる。本発明においてゲノム解析プロジェクトとは、遺伝子情報解析プロジェクトを意味し、遺伝子に関連する研究プロジェクトであれば特に限定はなく、ゲノム解析プロジェクト、遺伝子の塩基配列決定プロジェクト、遺伝子機能解析プロジェクト等があり、例えば生物種ごとにゲノム解析プロジェクトを投資家に開示し、ゲノム解析取引市場を介して投資家を募集すればよい。現在、生物種のうち、特定の生物種、例えばヒト、イネ等のゲノム解析が進行しているが、１００万種とも言われる生物種全体におけるゲノム解析は端緒についたばかりであり、実質的には着手されていないのも同然であり、本発明の投資システムにより、合理的なゲノム解析プロジェクトが初めて可能になる。
【００１９】
ゲノム解析プロジェクトとしては、生物種別のゲノム解析プロジェクト、生物亜種別のゲノム解析プロジェクト、生物品種別のゲノム解析プロジェクト、ヒト人種別のゲノム解析プロジェクト等が例示され、解析結果により、遺伝子に関連する多くの産業の実施が可能になる。また、遺伝子解析プロジェクトとして、染色体別の遺伝子解析プロジェクト、起源別の遺伝子解析プロジェクト、遺伝子機能別の遺伝子解析プロジェクト、産業分野別の遺伝子解析プロジェクト等任意の遺伝子解析プロジェクトを選別、提示し、投資家の判断を仰ぐことができる。
【００２０】
本発明におけるゲノム解析開発会社、例えば証券会社、銀行等の金融機関における投資家の募集の方法に特に限定はないが、情報通信システムを介して、投資家を募集する方法が挙げられる。例えばコンピュータシステムにより、ゲノム解析プロジェクトの研究成果の予測、商業的価値等に関する情報を提示し、投資家は特定のゲノム解析プロジェクトを選択し、投資することができる。また、ゲノム解析企業と金融機関が共同出資して、ゲノム解析開発会社をつくり、投資家を募集してもよい。この場合、ゲノム解析開発会社の提示するゲノム解析プロジェクトに関する証券あるいはファンドを発売公募することができる。このようなゲノム解析開発会社についても、本発明のゲノム解析開発会社に含まれる。
【００２１】
図１に、本発明においてゲノム解析開発会社及び投資家が、どのようにゲノム解析プロジェクトを推進し、投資するかについての関係の一例を示す。すなわち図１はゲノム解析開発会社と投資家の関係を示す図である。
【００２２】
ゲノム解析開発会社はインターネット市場において、まず、ゲノム解析プロジェクトのプランニングを行い、ゲノム解析プロジェクトごとの情報、例えば目論見書を投資家に提示する。ゲノム解析プロジェクトに関する情報の提示は、目論見書または受益証券説明書にて行うのが好適である。ゲノム解析開発会社である、例えば証券会社、銀行等の金融機関はゲノム解析プロジェクトごとの証券化を行い、ゲノム解析取引市場において、投資家は証券の購入により、特定のゲノム解析プロジェクトに投資する。投資家としては個人、企業の限定はなく、投資額にも限定はない。ゲノム解析取引市場において証券の売買は自由に行うことができ、投資家は証券の売買により利益を売ることができる。また、ゲノム解析プロジェクトの終了にともない、対価をライセンス収益、無体財産化等の収益から得ることもできる。
【００２３】
ゲノム解析企業は、ゲノム解析開発会社よりゲノム解析プロジェクトの発注を受け、ゲノム解析プロジェクトの遂行に必要な資金の調達を得る。なおゲノム解析企業が証券会社、銀行等の金融機関と共同出資し、ゲノム解析開発会社をつくり、投資家を募るというのも一例である。ゲノム解析開発会社の提示する１以上のゲノム解析プロジェクトの証券化を証券会社、銀行等の金融機関に依頼し、金融機関が証券化し、発売公募というのも一実施形態である。その次の段階として、ゲノム解析企業は、発注された範囲でゲノム解析プロジェクトの遂行を行うことになる。最後に、ゲノム解析開発会社はゲノム解析プロジェクトの成果について、投資家に対価を供与する。ゲノム解析プロジェクト成果の現金化としては、シークエンス情報、特許等を製薬会社、化学会社等の川下企業に提示し、ライセンス・提携することによって行う。得られた利益を投資家にリターンすることになる。また、ゲノム解析プロジェクト成果を無体財産化して、投資家に当該無体財産を供与してもよい。
【００２４】
図２に、本発明の投資システムのフローチャートを示し、図２は本発明の投資システムの１態様を示す図である。
【００２５】
ゲノム解析企業は、ゲノム解析プロジェクトごとの情報をゲノム解析開発会社に開示する。ゲノム解析開発会社はこの開示を受け、投資家に当該ゲノム解析プロジェクトごとの情報を提示する。投資家は目的に応じてゲノム解析プロジェクトを選択し、投資額を決定する。ゲノム解析開発会社はゲノム解析プロジェクトごとの投資額が決定次第、投資家に証券を発行し、その投資額に応じたゲノム解析プロジェクトの推進をゲノム解析企業に発注する。証券の発行により、ゲノム解析プロジェクトの証券市場が形成され、投資家は証券の売買により収益を得ることができる。ゲノム解析プロジェクトが終了した場合は、ゲノム解析企業はゲノム解析開発会社にゲノム解析により得られる成果を供与し、ゲノム解析開発会社は、投資家の要望に応じ、当該成果の知的財産化、換金化を行い、投資家に収益として還元する。
【００２６】
図３は本発明の投資システムの概略を示す図である。
【００２７】
ゲノム解析企業は、１以上のゲノム解析プロジェクトの情報をゲノム解析開発会社に提示する。ゲノム解析企業は１以上のゲノム解析企業であり、ゲノム解析開発会社は任意のゲノム解析企業とゲノム解析事業を行うことができる。また、ゲノム解析開発会社からゲノム解析企業にゲノム解析プロジェクトの提示の発注を行うことができる。ゲノム解析開発会社、例えば証券会社、銀行等の金融機関は投資家よりゲノム解析プロジェクトの遂行に必要な資金の調達を図るために、ゲノム解析プロジェクトの証券化を行い、ゲノム解析プロジェクトごとのゲノム解析に投資家を募る。投資としては、単独の投資家による投資でもよいし、複数の投資家による投資でもよい。
【００２８】
このようなシステムを構築することにより、ゲノム解析プロジェクトにかかる必要な巨額の操業経費をまかなえることができるので、本発明はきわめて有用である。
【００２９】
以上説明したように、投資家が、ゲノム解析企業の開示に基づき、ゲノム解析開発会社が提示する複数のゲノム解析プロジェクトから特定のプロジェクトを選択し、特定のゲノム解析プロジェクトに投資することにより、その持ち分に応じて、利益が分配され、これまで資金的に限界があったゲノム解析企業のゲノム解析プロジェクトの遂行が可能になり、ゲノム解析企業のリスクも少なく、いろいろな生物種のゲノム解析プロジェクトを行うことができるようになる。また、投資家はゲノム解析プロジェクトに投資する費用を節約できるだけでなく、リスクも少なく、なおかつハイリターンの投資システムを利用することができる。
【００３０】
本発明の投資システムにおいては、少なくとも一つのゲノム解析プロジェクトにおいて、取引市場を形成するためのデータ処理システムを使用する。当該データ処理システムとしては、例えばコンピュータと、当該コンピュータに結合され、前記少なくとも一つのゲノム解析プロジェクトに対して取引注文を受ける手段が備えられ、当該取引注文には取引されるべき証券あるいはファンドを特定するとともに、取引証券あるいはファンドの総数を特定するフィールドが含まれている。
【００３１】
本発明は、ゲノム解析プロジェクトへの投資システムであるが、別の角度から見ると、例えばゲノム解析プロジェクトが必要とする研究資金の調達システムを提供することになる。当該システムは、ゲノム解析企業の開示に基づき、ゲノム解析開発会社から提示される１以上のゲノム解析プロジェクトへの資金調達システムであって、ゲノム解析プロジェクトごとに１以上の投資家が投資することを特徴とする。この資金調達システムにおいては、少なくとも一つのゲノム解析プロジェクトにおいて、取引市場を形成するためのデータ処理システムを使用する。当該データ処理システムとしては、例えばコンピュータと、当該コンピュータに結合され、前記少なくとも一つのゲノム解析プロジェクトに対して取引注文を受ける手段が備えられ、当該取引注文には取引されるべき証券あるいはファンドを特定するとともに、取引証券あるいはファンドの総数を特定するフィールドが含まれている。
【００３２】
投資家は、ゲノム解析企業がゲノム解析プロジェクトとして選定することにより、付加価値が高められたゲノム解析プロジェクトの提示をゲノム解析開発会社から受け、ゲノム解析プロジェクトごとに細分化されたこれから遂行されるゲノム解析プロジェクト、例えばこれから解析される生物種別のゲノム解析プロジェクトに投資することにより、ゲノム解析プロジェクトが推進する。ゲノム解析プロジェクトが終了すれば、その成果を現金化、無体財産化し、例えばゲノムシークエンス、特許収入等の現金化等により得られる収益より、持ち分に応じた利益が投資家に分配され、本発明の投資システムが終了する。
【００３３】
本明細書においてはゲノム解析を例示し、新たな投資システムを開示したが、本発明はゲノム解析を含むすべての研究プロジェクトに対する投資を包含するものである。
【００３４】
従って、本発明は、企業の研究プロジェクトへの投資システムも提供する。すなわち、本発明により、研究企業の研究プロジェクトの開示に基づき研究開発会社が提示する１以上の研究プロジェクトへの投資システムであって、研究開発会社が提示する特定の研究プロジェクトごとに１以上の投資家に研究プロジェクトに関する情報を提示し、研究開発会社は特定の研究プロジェクトごとへの、投資家の投資額に応じて証券を発行し、当該証券は研究開発会社が開設する研究成果取引市場で売買され、研究開発会社は発行証券で得た資金で、研究プロジェクトの遂行を企業に発注することを特徴とする投資システムが提供される。当該投資システムの態様としては、情報通信システムを介して、投資家に研究プロジェクトに関する情報を提示し、投資家が特定の研究プロジェクトを選択し、当該研究プロジェクトへ投資する投資システムが挙げられる。情報通信システムとしては、コンピュータシステムが例示され、コンピュータシステムの好適な例としては、インターネットが挙げられる。当該投資システムにおいて、研究プロジェクトの投資方法としては、投資家が研究プロジェクトに関する証券、ファンド等を購入する方法が例示される。このようにして、投資家は研究開発会社の提示する、研究プロジェクトに投資を行い、得られる研究成果から得られた収益が還元される。
【００３５】
【発明の効果】
本発明の投資システムにより、ゲノム解析開発会社が提示するゲノム解析プロジェクトの遂行に必要な資金が確保され、また、複数の投資家、特に個人投資家が従来困難であった、ゲノム解析プロジェクトの商業的成功により得られる利益の享受が可能となる。本発明は、投資する費用の節約が可能でリスクも少なく、かつゲノム解析プロジェクトの商業的高価値により、他の投資よりもハイリターンな投資システムである。
【００３６】
【図面の簡単な説明】
【図１】ゲノム解析開発会社と投資家の関係を示す図である。
【図２】本発明の投資システムのフローチャートを示す図である。
【図３】本発明の投資システムの概略を示す図である。
【図１】
2004145373.tif 000002
【図２】
2004145373.tif 000003
【図３】
2004145373.tif 000004